(57)【要約】      （修正有）【課題】ＷＳＳの機能を利用することにより、光スイッチ部の冗長構成で波長ごとの冗長切替を可能にする。【解決手段】第１の光スイッチ部１８−０および第２の光スイッチ部１８−１の各ドロップポートから出力されるドロップする波長の光信号を第２のカプラ３１で結合して出力し、アドする波長の光信号を第３のカプラ３２を介して第１の光スイッチ部および第２の光スイッチ部のアドポートにそれぞれ入力する構成であり、複数の第１のカプラで分岐されたＷＤＭ光信号を第１の光スイッチ部および第２の光スイッチ部に接続し、第１の光スイッチ部および第２の光スイッチ部から出力されるアドする波長の光信号を複数の第１のＷＳＳ１２ａ、１２ｂにそれぞれ接続し、第１のＷＳＳで第１の光スイッチ部または第２の光スイッチ部から出力されるアドする波長の光信号を選択する構成である。【選択図】図４
2011109173.tif 000002
【特許請求の範囲】
【請求項１】
複数の入方路から入力するＷＤＭ光信号をそれぞれ分岐する複数の第１のカプラと、
前記複数の第１のカプラで分岐されたＷＤＭ光信号からドロップする波長の光信号を分波してドロップポートに出力するとともに、アドポートから入力するアドする波長の光信号を所定の出方路に出力する光スイッチ部と、
前記複数の第１の光カプラで分岐されたＷＤＭ光信号と、前記光スイッチ部から出力される前記アドする波長の光信号を入力し、ＷＤＭ光信号のうちスルーする波長の光信号と前記アドする波長の光信号を合波してそれぞれ複数の出方路に出力する複数の第１の波長選択スイッチと
を備えた光クロスコネクト装置において、
前記光スイッチ部を冗長構成とし、第１の光スイッチ部および第２の光スイッチ部の各ドロップポートから出力される前記ドロップする波長の光信号を第２のカプラで結合して出力し、前記アドする波長の光信号を第３のカプラを介して第１の光スイッチ部および第２の光スイッチ部のアドポートにそれぞれ入力する構成であり、
前記複数の第１のカプラで分岐されたＷＤＭ光信号を前記第１の光スイッチ部および第２の光スイッチ部に接続し、前記第１の光スイッチ部および第２の光スイッチ部から出力される前記アドする波長の光信号を前記複数の第１の波長選択スイッチにそれぞれ接続し、前記第１の波長選択スイッチで前記第１の光スイッチ部または第２の光スイッチ部から出力される前記アドする波長の光信号を選択する構成である
ことを特徴とする光クロスコネクト装置。
【請求項２】
請求項１に記載の光クロスコネクト装置において、
前記第１のカプラに代えて、前記ＷＤＭ光信号を各波長の光信号に分波し、スルーする波長の光信号を前記複数の第１の波長選択スイッチに出力し、ドロップする波長の光信号を前記第１の光スイッチ部および第２の光スイッチ部にそれぞれ出力する波長選択スイッチを用いた構成である
ことを特徴とする光クロスコネクト装置。
【発明の詳細な説明】
【技術分野】
【０００１】
本発明は、ＷＤＭ（波長多重）光信号の各波長ごとに経路を切り替える光クロスコネクト装置の冗長構成に関する。
【背景技術】
【０００２】
図１は、光クロスコネクト装置の構成例を示す（特許文献１）。
図１において、光クロスコネクト装置は、各入方路に対応する複数のカプラ１１ａ，１１ｂ、各出方路に対応する複数の波長選択スイッチ（ＷＳＳ：Wavelength Selective Switch ）１２ａ，１２ｂ、ドロップポート１６、アドポート１７および光スイッチ部１８を備える。光スイッチ部１８は、複数のカプラ１１ａ，１１ｂにそれぞれ接続される分波器１３、光スイッチ１４、複数のＷＳＳ１２ａ，１２ｂにそれぞれ接続される合波器１５により構成される。ＷＳＳ１２ａ，１２ｂは、図２に示すように、入力ポートと波長を選択し、入力ポートごとに選択された各波長の光信号を合波して出力ポートに出力する機能を有する。また、各選択経路ごとの光強度を制御する機能も有する。
【０００３】
カプラ１１ａは、光ネットワークからＷＤＭ光信号を入力して分岐し、複数のＷＳＳ１２ａ，１２ｂおよび光スイッチ部１８の分波器１３に入力する。分波器１３は、ＷＤＭ光信号を各波長の光信号に分波して光スイッチ１４に入力する。光スイッチ１４は、各波長の光信号からクライアントが受信する光信号をドロップポート１６に出力し、クライアントが送信する光信号をアドポート１７から入力し、所定の出方路に対応する合波器１５に出力する。合波器１５は、各波長の光信号を波長多重してＷＳＳ１２ａに出力する。ＷＳＳ１２ａは、カプラ１１ａから入力するＷＤＭ光信号と、光スイッチ部１８から入力するＷＤＭ光信号とを入力してそれぞれ分波し、クライアントが送受信する波長λ２，λ３を入れ替え、スルーする波長λ１と合波したＷＤＭ光信号を光ネットワークに送出する。
【０００４】
図３は、光クロスコネクト装置の冗長構成例を示す。
図３(1) は、入力側のＷＤＭ光信号をカプラ２１で分岐して０系の光クロスコネクト装置２０−０および１系の光クロスコネクト装置２０−１に入力し、各光クロスコネクト装置から出力されるＷＤＭ光信号を２×１光スイッチ２２で選択して出力する構成である。
【０００５】
図３(2) は、入力側のＷＤＭ光信号を１×２光スイッチ２３で選択して０系の光クロスコネクト装置２０−０または１系の光クロスコネクト装置２０−１に入力し、各光クロスコネクト装置から出力されるＷＤＭ光信号を２×１光スイッチ２２で選択して出力する構成である。１×２光スイッチ２３と２×１光スイッチ２２は、同じ光クロスコネクト装置を選択するように動作する。
【０００６】
図３(3) は、入力側のＷＤＭ光信号をカプラ２１で分岐して０系の光クロスコネクト装置２０−０および１系の光クロスコネクト装置２０−１に入力し、１系の光クロスコネクト装置２０−０から出力されるＷＤＭ光信号を波長選択阻止器２４に入力する。波長選択阻止器２４は、１系の光クロスコネクト装置２０−１でクロスコネクトする波長のみを通過させ、０系の光クロスコネクト装置２０−０の出力とカプラ２５で結合して出力する構成である。本冗長構成では、波長ごとの冗長切替が可能である。
【先行技術文献】
【特許文献】
【０００７】
【特許文献１】特開２００８−２５２６６４号公報
【発明の概要】
【発明が解決しようとする課題】
【０００８】
ところで、図３に示す冗長構成は、光クロスコネクト装置の全体を冗長構成とするものであるが、光クロスコネクト装置の光スイッチ部１８やＷＳＳ１２も同様に個別に冗長構成とすることができる。
【０００９】
例えば、光スイッチ部１８を冗長構成とする場合に、図３(1) に対応する構成では、入力側のカプラ２１は図１におけるカプラ１１を代用することができるが、出力側の２×１光スイッチ２２が新たに必要になる。また、図３(2) に対応する構成では、入力側の１×２光スイッチ２３および出力側の２×１光スイッチ２２が新たに必要になる。また、図３(3) に対応する構成では、入力側のカプラ２１は図１におけるカプラ１１を代用することができるが、出力側の波長選択阻止器２４およびカプラ２５が新たに必要になる。
【００１０】
また、光スイッチ部１８の冗長構成において、図３(1),(2) の構成は波長ごとの冗長切替ができず、０系と１系の一括冗長切替となる。一方、図３(3) の構成は波長ごとの冗長切替は可能であるが、波長選択阻止器２４およびカプラ２５が必要である。すなわち、波長ごとの冗長切替を行うために必要な素子数が増大する問題があった。
【００１１】
本発明は、ＷＳＳの機能を利用することにより、光スイッチ部の冗長構成で波長ごとの冗長切替が可能な光クロスコネクト装置を提供することを目的とする。
【課題を解決するための手段】
【００１２】
本発明は、複数の入方路から入力するＷＤＭ光信号をそれぞれ分岐する複数の第１のカプラと、複数の第１のカプラで分岐されたＷＤＭ光信号からドロップする波長の光信号を分波してドロップポートに出力するとともに、アドポートから入力するアドする波長の光信号を所定の出方路に出力する光スイッチ部と、複数の第１の光カプラで分岐されたＷＤＭ光信号と、光スイッチ部から出力されるアドする波長の光信号を入力し、ＷＤＭ光信号のうちスルーする波長の光信号とアドする波長の光信号を合波してそれぞれ複数の出方路に出力する複数の第１のＷＳＳとを備えた光クロスコネクト装置において、光スイッチ部を冗長構成とし、第１の光スイッチ部および第２の光スイッチ部の各ドロップポートから出力されるドロップする波長の光信号を第２のカプラで結合して出力し、アドする波長の光信号を第３のカプラを介して第１の光スイッチ部および第２の光スイッチ部のアドポートにそれぞれ入力する構成であり、複数の第１のカプラで分岐されたＷＤＭ光信号を第１の光スイッチ部および第２の光スイッチ部に接続し、第１の光スイッチ部および第２の光スイッチ部から出力されるアドする波長の光信号を複数の第１のＷＳＳにそれぞれ接続し、第１のＷＳＳで第１の光スイッチ部または第２の光スイッチ部から出力されるアドする波長の光信号を選択する構成である。
【００１３】
また、第１のカプラに代えて、ＷＤＭ光信号を各波長の光信号に分波し、スルーする波長の光信号を複数の第１のＷＳＳに出力し、ドロップする波長の光信号を第１の光スイッチ部および第２の光スイッチ部にそれぞれ出力するＷＳＳを用いた構成としてもよい。
【発明の効果】
【００１４】
本発明は、光クロスコネクト装置の光スイッチ部を冗長構成としたときに、アドする波長の光信号の冗長切替を光クロスコネクト装置の出方路に接続されたＷＳＳで行うことができる。すなわち、ＷＳＳの機能を利用することにより、簡単に冗長切替のための構成を低コストで実現することができる。
【図面の簡単な説明】
【００１５】
【図１】光クロスコネクト装置の構成例を示す図である。
【図２】ＷＳＳの機能を説明する図である。
【図３】光クロスコネクト装置の冗長構成例を示す図である。
【図４】本発明の光クロスコネクト装置の実施例１の構成例を示す図である。
【図５】本発明の光クロスコネクト装置の実施例２の構成例を示す図である。
【発明を実施するための形態】
【実施例１】
【００１６】
図４は、本発明の光クロスコネクト装置の実施例１の構成例を示す。
図４において、本実施例の光クロスコネクト装置は、各入方路に対応する複数のカプラ１１ａ，１１ｂ、各出方路に対応する複数のＷＳＳ１２ａ，１２ｂ、ドロップポート１６、アドポート１７、０系の光スイッチ部１８−０、１系の光スイッチ部１８−１、０系の光スイッチ部１８−０および１系の光スイッチ部１８−１とドロップポート１７との間に配置されるカプラ３１、０系の光スイッチ部１８−０および１系の光スイッチ部１８−１とアドポート１７との間に配置されるカプラ３２を備える。０系の光スイッチ部１８−０および１系の光スイッチ部１８−１は、複数のカプラ１１ａ，１１ｂにそれぞれ接続される分波器１３、光スイッチ１４、複数のＷＳＳ１２ａ，１２ｂにそれぞれ接続される合波器１５を備え、０系の光スイッチ部１８−０および１系の光スイッチ部１８−１の動作が個別に制御される構成である。本実施例のＷＳＳ１２ａ，１２ｂは、カプラ１１ａ，１１ｂ、０系の光スイッチ部１８−０および１系の光スイッチ部１８−１に対応する４個の入力ポートを備え、入力ポートと波長を選択して出力ポートに出力する機能を有する。
【００１７】
ここで、０系の光スイッチ部１８−０の波長λ３のアドポートが故障したために、１系の光スイッチ部１８−１で接続する場合の動作例について説明する。
【００１８】
カプラ１１ａは、光ネットワークからＷＤＭ光信号を入力して分岐し、複数のＷＳＳ１２ａ，１２ｂ、０系の光スイッチ部１８−０および１系の光スイッチ部１８−１の各分波器１３に入力する。各光スイッチ部の分波器１３は、ＷＤＭ光信号を各波長の光信号に分波して光スイッチ１４に入力する。０系の光スイッチ部１８−０の光スイッチ１４は、各波長の光信号からクライアントが受信する波長λ２の光信号をカプラ３１を介してドロップポート１６に出力する。１系の光スイッチ部１８−１の光スイッチ１４は、クライアントが送信する波長λ３の光信号をアドポート１７からカプラ３２を介して入力し、所定の出方路に対応する合波器１５に出力する。合波器１５は、各波長の光信号を波長多重してＷＳＳ１２ａに出力する。ＷＳＳ１２ａは、カプラ１１ａから入力するＷＤＭ光信号と、１系の光スイッチ部１８−１から入力するＷＤＭ光信号とを入力してそれぞれ分波し、クライアントが送受信する波長λ２，λ３を入れ替え、スルーする波長λ１と合波したＷＤＭ光信号を光ネットワークに送出する。
【実施例２】
【００１９】
図５は、本発明の光クロスコネクト装置の実施例２の構成例を示す。
図５において、本実施例の光クロスコネクト装置は、図４に示す実施例１の光クロスコネクト装置の各入方路に対応する複数のカプラ１１ａ，１１ｂをＷＳＳ４１ａ，４１ｂに置き換えたもので、その他の構成は同じである。
【００２０】
ここで、０系の光スイッチ部１８−０の波長λ３のアドポートが故障したために、１系の光スイッチ部１８−１で接続する場合の動作例について説明する。
ＷＳＳ４１ａは、光ネットワークからＷＤＭ光信号を入力して分波し、スルーする波長λ１の光信号をＷＳＳ１２ａ、ドロップする波長λ２の光信号を０系の光スイッチ部１８−０に入力する。０系の光スイッチ部１８−０の分波器１３は、波長λ２の光信号を光スイッチ１４に入力する。光スイッチ１４は、波長λ２の光信号をカプラ３１を介してドロップポート１６に出力する。１系の光スイッチ部１８−１の光スイッチ１４は、クライアントが送信する波長λ３の光信号をアドポート１７からカプラ３２を介して入力し、所定の出方路に対応する合波器１５を介してＷＳＳ１２ａに出力する。ＷＳＳ１２ａは、カプラ１１ａから入力する波長λ１の光信号と、１系の光スイッチ部１８−１から入力する波長λ３の光信号とを入力し、クライアントが送信する波長λ３と、スルーする波長λ１と合波したＷＤＭ光信号を光ネットワークに送出する。
【００２１】
また、以上示した実施例の構成では、アドドロップする光信号を１つの光スイッチで処理しているが、アドする光信号を処理する光スイッチと、ドロップする光信号を処理する光スイッチを分離してもよい。
【符号の説明】
【００２２】
１１ａ，１１ｂ，３１，３２  カプラ
１２ａ，１２ｂ，４１ａ，４１ｂ  ＷＳＳ（波長選択スイッチ）
１３  分波器
１４  光スイッチ
１５  合波器
１６  ドロップポート
１７  アドポート
１８  光スイッチ部
【図１】
2011109173.tif 000003
【図２】
2011109173.tif 000004
【図３】
2011109173.tif 000005
【図４】
2011109173.tif 000006
【図５】
2011109173.tif 000007